【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
ノードに関連する制御チャネルを復号するための復調基準信号（ＤＭ−ＲＳ）をその間に監視すべき複数のサブフレームをリソース要素インデックス付け構成に基づいて識別することと、ここにおいて、前記制御チャネルが広帯域システムの狭帯域領域を備え、前記複数のサブフレームが複数のサブフレームにわたって前記ＤＭ−ＲＳのための同じプリコーディングを有する、
前記ＤＭ−ＲＳに少なくとも部分的に基づいて前記制御チャネルを復号することと
を備える、方法。
【請求項２】
前記狭帯域領域内で前記同じプリコーディングを有する２つまたはそれ以上のリソースブロック（ＲＢ）を識別すること
をさらに備える、請求項１に記載の方法。
【請求項３】
ブロードバンド通信のための制御領域を備える前記狭帯域領域のリソースを前記制御チャネルから除外すること
をさらに備える、請求項１に記載の方法。
【請求項４】
ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
をさらに備える、請求項３に記載の方法。
【請求項５】
前記制御チャネルが、リソース要素グループ（ＲＥＧ）のセットを備える制御チャネル要素（ＣＣＥ）を備える、請求項１に記載の方法。
【請求項６】
ＲＥＧの前記セットのうちの各ＲＥＧが、前記狭帯域領域内で前記複数のサブフレームの間に時間および周波数において分散される、請求項５に記載の方法。
【請求項７】
ＲＥＧの前記セットのうちの各ＲＥＧが、ＤＭ−ＲＳを備えるリソース要素を除外する、請求項５に記載の方法。
【請求項８】
ワイヤレス通信のための装置であって、
ノードに関連する制御チャネルを復号するための復調基準信号（ＤＭ−ＲＳ）をその間に監視すべき複数のサブフレームをリソース要素インデックス付け構成に基づいて識別するための手段と、ここにおいて、前記制御チャネルが広帯域システムの狭帯域領域を備え、前記複数のサブフレームが複数のサブフレームにわたって前記ＤＭ−ＲＳのための同じプリコーディングを有する、
前記ＤＭ−ＲＳに少なくとも部分的に基づいて前記制御チャネルを復号するための手段と
を備える、装置。
【請求項９】
前記狭帯域領域内で前記同じプリコーディングを有する２つまたはそれ以上のリソースブロック（ＲＢ）を識別するための手段
をさらに備える、請求項８に記載の装置。
【請求項１０】
ブロードバンド通信のための制御領域を備える前記狭帯域領域のリソースを前記制御チャネルから除外するための手段
をさらに備える、請求項８に記載の装置。
【請求項１１】
ブロードバンド通信のための前記制御領域を備える前記狭帯域領域の前記リソースを示すメッセージを受信するための手段と、
前記メッセージに少なくとも部分的に基づいて、前記ブロードバンド通信のための前記制御領域を備える前記狭帯域領域の前記リソースを決定するための手段と
をさらに備える、請求項８に記載の装置。
【請求項１２】
前記制御チャネルが、リソース要素グループ（ＲＥＧ）のセットを備える制御チャネル要素（ＣＣＥ）を備える、請求項８に記載の装置。
【請求項１３】
単一のプリコーダが、前記制御チャネルの各物理リソースブロックペアのために適用される、請求項８に記載の装置。
【請求項１４】
２つまたはそれ以上のプリコーダが、前記制御チャネルの各物理リソースブロックペアをもつリソースに適用される、請求項８に記載の装置。
【請求項１５】
請求項１〜請求項７のうちのいずれか一項に記載の方法を実行するための命令を備える、コンピュータプログラム。
【手続補正２】
【補正対象書類名】明細書
【補正対象項目名】０１６４
【補正方法】変更
【補正の内容】
【０１６４】
[0186]本明細書で説明した技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ユーザ機器（ＵＥ）におけるワイヤレス通信の方法であって、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと  を備える、方法。
[Ｃ２]  前記狭帯域領域内で前記同じプリコーディングを有する２つまたはそれ以上のリソースブロック（ＲＢ）を識別すること
をさらに備える、Ｃ１に記載の方法。
[Ｃ３]  ブロードバンド通信のための制御領域を備える前記狭帯域領域のリソースを前記制御チャネルから除外すること
をさらに備える、Ｃ１に記載の方法。
[Ｃ４]  ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
をさらに備える、Ｃ３に記載の方法。
[Ｃ５]  前記制御チャネルが、リソース要素グループ（ＲＥＧ）のセットを備える制御チャネル要素（ＣＣＥ）を備える、Ｃ１に記載の方法。
[Ｃ６]  ＲＥＧの前記セットのうちの各ＲＥＧが、前記狭帯域領域内で前記複数のサブフレームの間に時間および周波数において分散される、Ｃ５に記載の方法。
[Ｃ７]  ＲＥＧの前記セットのうちの各ＲＥＧが、ＤＭ−ＲＳを備えるリソース要素を除外する、Ｃ５に記載の方法。
[Ｃ８]  ＲＥＧの前記セットのうちの各ＲＥＧが、セル固有基準信号（ＣＲＳ）を備えるリソース要素を除外する、Ｃ７に記載の方法。
[Ｃ９]  単一のプリコーダが、前記制御チャネルの各物理リソースブロックペアのために適用される、Ｃ１に記載の方法。
[Ｃ１０]  ２つまたはそれ以上のプリコーダが、前記制御チャネルの各物理リソースブロックペアをもつリソースに適用される、Ｃ１に記載の方法。
[Ｃ１１]  前記制御チャネルが、セル固有基準信号（ＣＲＳ）に少なくとも部分的に基づいて復号される、Ｃ１に記載の方法。
[Ｃ１２]  ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと    を行わせるように動作可能である、
装置。
[Ｃ１３]  前記命令が、前記プロセッサに、
前記狭帯域領域内で前記同じプリコーディングを有する２つまたはそれ以上のリソースブロック（ＲＢ）を識別すること
を行わせるように動作可能である、Ｃ１２に記載の装置。
[Ｃ１４]  前記命令が、前記プロセッサに、
ブロードバンド通信のための制御領域を備える前記狭帯域領域のリソースを前記制御チャネルから除外すること
を行わせるように動作可能である、Ｃ１２に記載の装置。
[Ｃ１５]  前記命令が、前記プロセッサに、
ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
を行わせるように動作可能である、Ｃ１４に記載の装置。
[Ｃ１６]  前記制御チャネルが、リソース要素グループ（ＲＥＧ）のセットを備える制御チャネル要素（ＣＣＥ）を備える、Ｃ１２に記載の装置。
[Ｃ１７]  ＲＥＧの前記セットのうちの各ＲＥＧが、前記狭帯域領域内で前記複数のサブフレームの間に時間および周波数において分散される、Ｃ１６に記載の装置。
[Ｃ１８]  単一のプリコーダが、前記制御チャネルの各物理リソースブロックペアのために適用される、Ｃ１２に記載の装置。
[Ｃ１９]  ２つまたはそれ以上のプリコーダが、前記制御チャネルの各物理リソースブロックペアをもつリソースに適用される、Ｃ１２に記載の装置。
[Ｃ２０]  前記制御チャネルが、セル固有基準信号（ＣＲＳ）に少なくとも部分的に基づいて復号される、Ｃ１２に記載の装置。
[Ｃ２１]  ワイヤレス通信のための装置であって、
ノードに関連する制御チャネルを復号するための復調基準信号（ＤＭ−ＲＳ）をその間に監視すべき複数のサブフレームを識別するための手段と、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号するための手段と
を備える、装置。
[Ｃ２２]  前記狭帯域領域内で前記同じプリコーディングを有する２つまたはそれ以上のリソースブロック（ＲＢ）を識別するための手段
をさらに備える、Ｃ２１に記載の装置。
[Ｃ２３]  ブロードバンド通信のための制御領域を備える前記狭帯域領域のリソースを前記制御チャネルから除外するための手段
をさらに備える、Ｃ２１に記載の装置。
[Ｃ２４]  ブロードバンド通信のための前記制御領域を備える前記狭帯域領域の前記リソースを示すメッセージを受信するための手段と、
前記メッセージに少なくとも部分的に基づいて、前記ブロードバンド通信のための前記制御領域を備える前記狭帯域領域の前記リソースを決定するための手段と
をさらに備える、Ｃ２３に記載の装置。
[Ｃ２５]  前記制御チャネルが、リソース要素グループ（ＲＥＧ）のセットを備える制御チャネル要素（ＣＣＥ）を備える、Ｃ２１に記載の装置。
[Ｃ２６]  ＲＥＧの前記セットのうちの各ＲＥＧが、ＤＭ−ＲＳを備えるリソース要素を除外する、Ｃ２５に記載の装置。
[Ｃ２７]  単一のプリコーダが、前記制御チャネルの各物理リソースブロックペアのために適用される、Ｃ２１に記載の装置。
[Ｃ２８]  ２つまたはそれ以上のプリコーダが、前記制御チャネルの各物理リソースブロックペアをもつリソースに適用される、Ｃ２１に記載の装置。
[Ｃ２９]  前記制御チャネルが、セル固有基準信号（ＣＲＳ）に少なくとも部分的に基づいて復号される、Ｃ２１に記載の装置。
[Ｃ３０]  ワイヤレス通信のためのコードを記憶する非一時的コンピュータ可読媒体であって、前記コードは、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと  を行うために実行可能な命令を備える、非一時的コンピュータ可読媒体。